(57)【要約】  差動送信ラインの複数のペア（１０２、１０４、１０６、１０８）が、差動送信ラインのペアのセット（１０４、１０６、１０８）を含み、差動送信ラインのペアのセットからの差動送信ラインの各ペアが、電流方向を互い違いにするための少なくとも１つのねじれ（１１８−１〜１１８−６）を含む。差動送信ライン（１０４、１０６、１０８）のねじれ（１１８−１〜１１８−６）は、電流方向を互い違いにすることが差動送信ラインの複数のペア（１０２、１０４、１０６、１０８）にわたるクロストークを実質的になくすような距離位置（Ｄ１〜Ｄ９）に配置される。
2014517575.tif 000002
【特許請求の範囲】
【請求項１】
差動送信ラインの複数のペアを含む装置であって、差動送信ラインの前記複数のペアが差動送信ラインのペアのセットを含み、差動送信ラインのペアの前記セットからの差動送信ラインの各ペアが、電流方向を互い違いにするため少なくとも１つのねじれを含み、電流方向を互い違いにすることが差動送信ラインの前記複数のペアにわたるクロストークを実質的になくすように前記複数の差動送信ラインの前記ラインが配される、装置。
【請求項２】
請求項１に記載の装置であって、差動送信ラインの前記複数のペアが互いに実質的に平行であり、差動送信ラインのペアが差動送信ラインの各隣接ペアから第１の距離分離されており、差動送信ラインの各ペアにおける差動送信ラインが互いから第２の距離分離されており、前記第１の距離が前記第２の距離より大きい、装置。
【請求項３】
請求項２に記載の装置であって、
差動送信ラインの各ペアが正のラインと負のラインとを含み、
ｉ番目及びｊ番目の差動ペア間のクロスカップリングが、ｉ番目及びｊ番目の差動ペアの各々の互いの前記正及び負のラインのクロスカップリングの線形の組み合わせであり、
前記ｉ番目及びｊ番目の差動ペアの各々の互いの前記正及び負のラインのクロスカップリングが各々、前記ｉ番目及びｊ番目の差動ペア間の全距離と前記ｉ番目及びｊ番目の差動ペアを横断する電流との関数であり、差動送信ラインのペアの前記セットからの前記ねじれが差動送信ラインの各ペア間のクロスカップリングを実質的に直交させる、
装置。
【請求項４】
請求項３に記載の装置であって、前記ｉ番目及びｊ番目の差動ペアの各々の互いの前記正及び負のラインのクロスカップリングの前記線形の組み合わせが下記であり、
Φｉ，ｊ＝Φｉａ，ｊａ―Φｉａ，ｊｂ―Φｉｂ，ｊａ＋Φｉｂ，ｊｂ
ここで、Φｉａ，ｊａは前記ｉ番目及びｊ番目の差動ペアの前記正のラインの間のクロスカップリングであり、Φｉａ，ｊｂは前記ｉ番目の差動ペアの前記正のラインとｊ番目の差動ペアの前記負のラインの間のクロスカップリングであり、Φｉｂ，ｊａは前記ｉ番目の差動ペアの前記負のラインと前記ｊ番目の差動ペアの前記正のラインの間のクロスカップリングであり、Φｉｂ，ｊｂは前記ｉ番目及びｊ番目の差動ペアの前記負のラインの間のクロスカップリングであり、Φｉａ，ｊａ、Φｉａ，ｊｂ、Φｉｂ，ｊａ、及びΦｉｂ，ｊｂが下記であり、
【数７】
2014517575.tif 000009
ここで、ｎ，ｍ∈｛ａ，ｂ｝，ｒｉ［ｎ］，ｊ［ｍ］は、ｉ［ｎ］とｊ［ｍ］との間の距離であり、ｌｉ［ｎ］は送信ラインｉ［ｎ］の長さであり、ｌｊ［ｍ］は送信ラインｊ［ｍ］の長さであり、ｉｉ［ｎ］（ｌｉ［ｎ］）は、長さｌｉ［ｎ］にわたる送信ラインｉ［ｎ］を介する電流であり、ｉｊ［ｍ］（ｌｊ［ｍ］）は長さｌｊ［ｍ］にわたる送信ラインｊ［ｍ］を介する電流である、
装置。
【請求項５】
請求項４に記載の装置であって、前記装置が、
如何なるねじれも含まず、第１の長さを有する、差動送信ラインの前記複数のペアからの差動送信ラインの第１のペア、及び
第２の長さを有し、差動送信ラインの前記第１のペアに近接する、差動送信ラインのペアの前記セットからの差動送信ラインの第２のペア、
を更に含み、
前記第２の長さが前記第１の長さにほぼ等しく、差動送信ラインの前記第２のペアが、前記第２の長さの約２分の１辺りの地点においてねじれを含む、
装置。
【請求項６】
請求項４に記載の装置であって、前記装置が集積回路（ＩＣ）を更に含み、
前記ＩＣが、
基板上に形成される第１の回路、
前記基板上に形成される第２の回路、及び
前記基板上に形成される通信チャネル、
を有し、
前記通信チャネルが、前記第１及び第２の回路が互いに通信できるようにする差動送信ラインの前記複数のペアを含む、
装置。
【請求項７】
請求項４に記載の装置であって、前記装置が、
印刷回路基板（ＰＣＢ）、
前記ＰＣＢに固定される第１のＩＣ、
前記ＰＣＢに固定される第２のＩＣ、及び
前記ＰＣＢ上に形成される通信チャネル、
を更に含み、
前記通信チャネルが、前記第１及び第２のＩＣが互いに通信できるようにする差動送信ラインの前記複数のペアを含む、
装置。
【請求項８】
装置であって、
差動送信ラインの第１のペアであって、前記第１のペアからの前記差動送信ラインが互いから第１の距離分離されており、前記第１のペアからの各差動送信ラインが或る長さを有する、差動送信ラインの前記第１のペア、
差動送信ラインの第２のペアであって、前記第２のペアからの前記差動送信ラインが互いから前記第１の距離分離されており、前記第２のペアからの各差動送信ラインが前記長さを有し、前記第２のペアが前記第１のペアに実質的に平行であり前記第１のペアに近接しており、前記第１のペアが前記第２のペアから第２の距離分離されており、前記第２の距離が前記第１の距離より大きい、差動送信ラインの前記第２のペア、及び
第３の差動送信ラインのペア、
を含み、
前記第３のペアからの前記差動送信ラインが互いから前記第１の距離分離されており、前記第３のペアからの各差動送信ラインが前記長さを有し、前記第３のペアが前記第２のペアに実質的に平行であり前記第２のペアに近接しており、前記第３のペアが前記第２のペアから前記第２の距離分離されており、
前記第１、第２、及び第３のペア間のクロスカップリングが前記第１、第２、及び第３のペアを横断する電流の関数であり、
差動送信ラインの前記第１、第２、及び第３のペアを横断する電流が前記第１、第２、及び第３のペアの各々の間のクロスカップリングを実質的に直交させるように差動送信ラインの前記第１、第２、及び第３のペアが配される、
装置。
【請求項９】
請求項８に記載の装置であって、前記第２及び第３のペアの各々が、電流方向を互い違いにするため少なくとも１つのねじれを含む、装置。
【請求項１０】
請求項９に記載の装置であって、
前記第１、第２、及び第３のペアの各々が正のラインと負のラインとを含み、
ｉ番目及びｊ番目の差動ペア間のクロスカップリングが、前記ｉ番目及びｊ番目の差動ペアの各々の互いの前記正及び負のラインのクロスカップリングの線形の組み合わせであり、
前記ｉ番目及びｊ番目の差動ペアの各々の互いの前記正及び負のラインの前記クロスカップリングが、前記ｉ番目及びｊ番目の差動ペア間の全距離と前記ｉ番目及びｊ番目の差動ペアを横断する電流との関数であり、
前記第２及び第３のペアからの前記ねじれが差動送信ラインの各ペア間のクロスカップリングを実質的に直交させる、
装置。
【請求項１１】
請求項１０に記載の装置であって、前記ｉ番目及びｊ番目の差動ペアの各々の互いの前記正及び負のラインのクロスカップリングの前記線形の組み合わせが下記であり、
Φｉ，ｊ＝Φｉａ，ｊａ―Φｉａ，ｊｂ―Φｉｂ，ｊａ＋Φｉｂ，ｊｂ
ここで、Φｉａ，ｊａは前記ｉ番目及びｊ番目の差動ペアの前記正のラインの間のクロスカップリングであり、Φｉａ，ｊｂは前記ｉ番目の差動ペアの前記正のラインとｊ番目の差動ペアの前記負のラインの間のクロスカップリングであり、Φｉｂ，ｊａは前記ｉ番目の差動ペアの前記負のラインとｊ番目の差動ペアの前記正のラインの間のクロスカップリングであり、Φｉｂ，ｊｂは前記ｉ番目及びｊ番目の差動ペアの前記負のラインの間のクロスカップリングであり、Φｉａ，ｊａ、Φｉａ，ｊｂ、Φｉｂ，ｊａ、及びΦｉｂ，ｊｂが下記であり、
【数８】
2014517575.tif 000010
ここで、ｎ，ｍ∈｛ａ，ｂ｝，ｒｉ［ｎ］，ｊ［ｍ］は、ｉ［ｎ］とｊ［ｍ］との間の距離であり、ｌｉ［ｎ］は送信ラインｉ［ｎ］の長さであり、ｌｊ［ｍ］は送信ラインｊ［ｍ］の長さであり、ｉｉ［ｎ］（ｌｉ［ｎ］）は、長さｌｉ［ｎ］にわたる送信ラインｉ［ｎ］を介する電流であり、ｉｊ［ｍ］（ｌｊ［ｍ］）は長さｌｊ［ｍ］にわたる送信ラインｊ［ｍ］を介する電流である、
装置。
【請求項１２】
請求項１１に記載の装置であって、前記第２のペアが、前記第２の長さの約２分の１辺りの地点においてねじれを含む、装置。
【請求項１３】
請求項１１に記載の装置であって、前記装置がＩＣを更に含み、
前記ＩＣが、
基板上に形成される第１の回路、
前記基板上に形成される第２の回路、及び
前記基板上に形成される通信チャネル、
を有し、
前記通信チャネルが、前記第１及び第２の回路が互いに通信できるようにする差動送信ラインの前記複数のペアを含む、
装置。
【請求項１４】
請求項１３に記載の装置であって、前記装置が、
ＰＣＢ、
前記ＰＣＢに固定される第１のＩＣ、
前記ＰＣＢに固定される第２のＩＣ、及び
前記ＰＣＢ上に形成される通信チャネル、
を更に含み、
前記通信チャネルが、前記第１及び第２のＩＣが互いに通信できるようにする差動送信ラインの前記複数のペアを含む、
装置。
【発明の詳細な説明】
【技術分野】
【０００１】
本願は、概して差動ラインを介する通信に関し、更に特定して言えば、差動ラインを介するクロストークを低減することに関連する。
【背景技術】
【０００２】
オンチップ密度が高まるにつれて、距離が縮むにつれて、及び速度が増加するにつれて、通信ライン間のクロストークはますます増大する課題となってきている。しかし、クロストークは、何年もの間検討されてきている周知の問題であり、幾つかの解決策がつくられている。これらの解決策の例は、シールディング、マイクロストリップ、及びマルチモード送信ライン理論の利用であるが、どの解決策にも欠点があり、これは、これら各々の解決策が高密度オンチップ通信ラインに用いるのに不適当であることを意味する。従って、クロストークを低減する方法が求められている。
【０００３】
従来の配置の一例が下記文献に記載されている。
【非特許文献１】Mensink et al.,"Optimally-Placed Twists in Global On-Chip DifferentialInterconnects," Proc. of ESSCIRC, Grenoble, France, 2005, pp. 475-478
【発明の概要】
【０００４】
例示の実施例が、差動送信ラインの複数のペアを含む装置を提供する。差動送信ラインの複数のペアは差動送信ラインのペアのセットを含み、差動送信ラインのペアのセットからの差動送信ラインの各ペアは、電流方向を互い違いにするため少なくとも１つのねじれを含む。複数の差動送信ラインのラインは、電流方向を互い違いにすることが差動送信ラインの複数のペアにわたるクロストークを実質的になくすように配される。
【０００５】
一実施例に従って、差動送信ラインの複数のペアは互いに実質的に平行であり、差動送信ラインのペアは差動送信ラインの各隣接ペアから第１の距離分離されており、差動送信ラインの各ペアにおける差動送信ラインは互いから第２の距離分離されており、第１の距離は第２の距離より大きい。
【０００６】
一実施例に従って、差動送信ラインの各ペアは正のラインと負のラインとを含み、ｉ番目及びｊ番目の差動ペア間のクロスカップリングは、ｉ番目及びｊ番目の差動ペアの各々の互いの正及び負のラインのクロスカップリングの線形の組み合わせであり、ｉ番目及びｊ番目の差動ペアの各々の互いの正及び負のラインのクロスカップリングは各々、ｉ番目及びｊ番目の差動ペア間の全距離とｉ番目及びｊ番目の差動ペアを横断する電流との関数であり、差動送信ラインのペアのセットからのねじれは差動送信ラインの各ペア間のクロスカップリングを実質的に直交させる。
【０００７】
一実施例に従って、ｉ番目及びｊ番目の差動ペアの各々の互いの正及び負のラインのクロスカップリングの線形の組み合わせは下記であり、
Φｉ，ｊ＝Φｉａ，ｊａ―Φｉａ，ｊｂ―Φｉｂ，ｊａ＋Φｉｂ，ｊｂ
ここで、Φｉａ，ｊａはｉ番目及びｊ番目の差動ペアの正のラインの間のクロスカップリングであり、Φｉａ，ｊｂはｉ番目の差動ペアの正のラインとｊ番目の差動ペアの負のラインの間のクロスカップリングであり、Φｉｂ，ｊａはｉ番目の差動ペアの負のラインとｊ番目の差動ペアの正のラインの間のクロスカップリングであり、Φｉｂ，ｊｂはｉ番目及びｊ番目の差動ペアの負のラインの間のクロスカップリングであり、Φｉａ，ｊａ、Φｉａ，ｊｂ、Φｉｂ，ｊａ、及びΦｉｂ，ｊｂは下記であり、
【数１】
2014517575.tif 000003
ここで、ｎ，ｍ∈｛ａ，ｂ｝，ｒｉ［ｎ］，ｊ［ｍ］は、ｉ［ｎ］とｊ［ｍ］との間の距離であり、ｌｉ［ｎ］は送信ラインｉ［ｎ］の長さであり、ｌｊ［ｍ］は送信ラインｊ［ｍ］の長さであり、ｉｉ［ｎ］（ｌｉ［ｎ］）は、長さｌｉ［ｎ］にわたる送信ラインｉ［ｎ］を介する電流であり、ｉｊ［ｍ］（ｌｊ［ｍ］）は長さｌｊ［ｍ］にわたる送信ラインｊ［ｍ］を介する電流である。
【０００８】
一実施例に従って、この装置は、差動送信ラインの複数のペアからの差動送信ラインの第１のペアと、差動送信ラインのペアのセットからの差動送信ラインの第２のペアとを更に含む。差動送信ラインの第１のペアは、如何なるねじれも含まず、第１の長さを有する。差動送信ラインの第２のペアは、第２の長さを有し、差動送信ラインの第１のペアに近接する。第２の長さは第１の長さにほぼ等しく、差動送信ラインの第２のペアは、第２の長さの約２分の１辺りの地点においてねじれを含む。
【０００９】
一実施例に従って、この装置は集積回路（ＩＣ）を更に含み、ＩＣは、基板上に形成される第１の回路と、基板上に形成される第２の回路と、基板上に形成される通信チャネルとを有する。通信チャネルは、第１及び第２の回路が互いに通信できるようにする差動送信ラインの複数のペアを含む。
【００１０】
一実施例に従って、この装置は、印刷回路基板（ＰＣＢ）と、ＰＣＢに固定される第１のＩＣと、ＰＣＢに固定される第２のＩＣと、ＰＣＢ上に形成される通信チャネルとを更に含む。通信チャネルは、第１及び第２のＩＣが互いに通信できるようにする差動送信ラインの複数のペアを含む。
【００１１】
一実施例に従って或る装置が提供される。この装置は、差動送信ラインの第１のペアと、差動送信ラインの第２のペアと、第３の差動送信ラインのペアとを含む。第１のペアからの差動送信ラインは互いから第１の距離分離されており、第１のペアからの各差動送信ラインは或る長さを有する。第２のペアからの差動送信ラインは互いから第１の距離分離されており、第２のペアからの各差動送信ラインは前記長さを有し、第２のペアは第１のペアに実質的に平行であり第１のペアに近接しており、第１のペアは第２のペアから第２の距離分離されており、第２の距離は第１の距離より大きい。第３のペアからの差動送信ラインは互いから第１の距離分離されており、第３のペアからの各差動送信ラインは前記長さを有し、第３のペアは第２のペアに実質的に平行であり第２のペアに近接しており、第３のペアは第２のペアから第２の距離分離されている。第１、第２、及び第３のペア間のクロスカップリングは第１、第２、及び第３のペアを横断する電流の関数であり、差動送信ラインの第１、第２、及び第３のペアを横断する電流が第１、第２、及び第３のペアの各々の間のクロスカップリングを実質的に直交させるように差動送信ラインの第１、第２、及び第３のペアが配される。
【００１２】
一実施例に従って、第２及び第３のペアの各々は、電流方向を互い違いにするため少なくとも１つのねじれを含む。
【００１３】
一実施例に従って、第１、第２、及び第３のペアの各々は正のラインと負のラインとを含み、ｉ番目及びｊ番目の差動ペア間のクロスカップリングは、ｉ番目及びｊ番目の差動ペアの各々の互いの正及び負のラインのクロスカップリングの線形の組み合わせであり、ｉ番目及びｊ番目の差動ペアの各々の互いの正及び負のラインのクロスカップリングは、ｉ番目及びｊ番目の差動ペア間の全距離とｉ番目及びｊ番目の差動ペアを横断する電流との関数であり、第２及び第３のペアからのねじれが差動送信ラインの各ペア間のクロスカップリングを実質的に直交させる。
【図面の簡単な説明】
【００１４】
例示の実施例を添付の図面を参照して説明する。
【００１５】
【図１Ａ】カップリング直交化アプローチを用いる通信チャネルの例を示す。
【図１Ｂ】カップリング直交化アプローチを用いる通信チャネルの例を示す。
【図２Ａ】カップリング直交化アプローチを用いる通信チャネルの例を示す。
【図２Ｂ】カップリング直交化アプローチを用いる通信チャネルの例を示す。
【図３Ａ】カップリング直交化アプローチを用いる通信チャネルの例を示す。
【図３Ｂ】カップリング直交化アプローチを用いる通信チャネルの例を示す。
【図４Ａ】カップリング直交化アプローチを用いる通信チャネルの例を示す。
【図４Ｂ】カップリング直交化アプローチを用いる通信チャネルの例を示す。
【００１６】
【図５】図１Ａ〜図４Ｂに示したタイプの通信を用いる集積回路（ＩＣ）の一例である。
【００１７】
【図６Ａ】ペア１０４におけるねじれを示す図５のための通信のエリアである。
【００１８】
【図６Ｂ】図６Ａの切り取り線１−１に沿ったペア１０４の断面図である。
【００１９】
【図６Ｃ】図６Ａの切り取り線２−２に沿ったペア１０４の断面図である。
【００２０】
【図７】図１Ａ〜図４Ｂに示したタイプの通信チャネルを用いる印刷回路基板（ＰＣＢ）の一例である。
【００２１】
【図８】図１Ａ〜図４Ｂに示したタイプの通信チャネルを用いるシステムの一例である。
【発明を実施するための形態】
【００２２】
差動シグナリングは概して、各々差動信号の一部（即ち、正及び負の部分）を搬送する導体のペアを用い、よく知られているように、信号が導体を横断しているとき導体の周りで大量に電磁場が生成される。しかし、信号が差動ペアを横断するとき、導体のペアにおける電流は同じ大きさであるが異なる方向を有するため、概して、ペア内カップリング又はクロストークはない。これは、電磁場が互いに相殺すること、及び導体ペアは近接して（即ち、互いに非常に近くに又は狭いピッチを有して）配置され得ることを意味する。しかし、導体の隣接する又は近接するペア間にはペア内カップリングがあり得る。典型的に、導体のこれらの隣接する又は近接するペア間のカップリング又クロストークは、距離と導体を横断する電流の関数である。
【００２３】
図１Ａにおいて、ペア１０２及び１０４を見ることができる。これらのペア１０２及び１０４の各々は、差動信号の正の部分（即ち、それぞれｌａ及び２ａ）を搬送する導体と、差動信号の負の部分（即ち、それぞれ１ｂ及び２ｂ）を搬送する導体とを含む。この例では、ピッチ又はペア内導体又は送信ライン（即ち、ｌａ及び１ｂ間）間の距離は、ピッチ又はペア１０２及び１０４間の距離よりも小さい。この通信チャネル１００−１に対するカップリング又はクロストークも導体の各々間のカップリングの線形の組合せとなり得、これは、次の通りである。
【数２】
2014517575.tif 000004
カップリング（Φ）は、導体間の全距離と導体を横断する電流の関数であり、下記形式を実質的に有する。
【数３】
2014517575.tif 000005
ここで、ｎ，ｍ∈｛ａ，ｂ｝，ｒｉ［ｎ］，ｊ［ｍ］は、導体又は送信ラインｉ［ｎ］及びｊ［ｍ］の間の距離であり、ｌｉ［ｎ］は送信ラインｉ［ｎ］の長さであり、ｌｊ［ｍ］は送信ラインｊ［ｍ］の長さであり、ｉｉ［ｎ］（ｌｉ［ｎ］）は、長さｌｉ［ｎ］にわたる送信ラインｉ［ｎ］を介する電流であり、ｉｊ［ｍ］（ｌｊ［ｍ］）は長さｌｊ［ｍ］にわたる送信ラインｊ［ｍ］を介する電流である。通信チャネル１００−１では、カップリング又はクロストークは下記のようになる。
【数４】
2014517575.tif 000006
【００２４】
電流方向が互いに逆であるためペア内導体（即ち、１ａ及び１ｂ）のためのフィールドが相殺されることを理解すると、この状況は直交性と考えることができる。この「直交性」は、電流方向を替えるためねじれ（即ち、１１８−１）を導入することによりペア内フィールドまで拡張され得る。差動ペア（即ち、１０２及び１０４）内のこれらのねじれは、各ペア間のカップリングが実質的にゼロとなるように差動ペア（即ち、１０４）に沿ってパターンで配され得る。
【００２５】
まず図１Ａ及び図１Ｂをみると、ペア１０２及び１０４間の直交性を見ることができる。ペア１０２では、ねじれはなく、図示するように、ペア１０２に対する総合的電流は「＋」として表現することができる。ペア１０２の長さに沿った中途地点においてペア１０４（これはペア１０２とほぼ同じ長さを有し、距離Ｄｌが距離Ｄ２にほぼ等しい）にねじれ１１８−１が導入される場合、ペア１０４に対する電流は、距離Ｄｌに沿って「＋１」及び距離Ｄ２に沿って「−１」として表現することができる。これは上記式（２）〜（５）が下記となり得ることを意味し得る。
【数５】
2014517575.tif 000007
式（７）〜（１０）を式（１）に代入すると、ペア１０２及び１０４間のカップリングは下記となり得る。
【数６】
2014517575.tif 000008
相当に短いライン（即ち、波長の１／１０未満）では、（ペア１０４の長さに沿って中途に位置する）ねじれ１１８−１は、ゼロとなる、ペア１０２及び１０４間のカップリングを生じさせ得る（即ち、式１１）。
【００２６】
通信チャネル１００−２における３つのペア１０２、１０４、及び１０６間の直交性を図２Ａ及び図２Ｂで見ることができる。この例では、ペア１０６は、ねじれ１１８−２及び１１８−３を含み、そのため、ペア１０６に対する電流は、距離Ｄ３に沿って「＋１」、距離Ｄ４に沿って「−１」、及び距離Ｄ５に沿って「＋１」として表され得る。図示するように、これらの電流方向（表示）は、ペア（即ち、１０２及び１０４）の長さに沿った距離の関数であり、これは、電流分布対距離のバイナリをつくる効果を有する。そのため、距離Ｄｌ〜Ｄ５を調節することにより、ペア１０２、１０４、及び１０６間の直交性は、ペア１０２、１０４、及び１０６間のペア内カップリングが約ゼロであることを意味する。
【００２７】
図３Ａ〜図４Ｂは、通信チャネル１００−３及び１００−４（これらは、それぞれ４ペア及び８ペアを有する）の例を示す。通信チャネル１００−１及び１００−２に類似して、ペア１０８、１１０、１１２、１１４、及び１１６は、距離Ｄ６〜Ｄ３７に沿って間隔が空けられたねじれを有する。これらの距離もペア１０８、１１０、１１２、１１４、及び１１６間のペア内カップリングが約ゼロであることを達成するように調節され得、これは、この直交化方式が差動ラインの任意の数のペアまで拡張され得ることを示す。
【００２８】
図５は、１００−１〜１００−４（後述では１００と称する）などの通信チャネルを用いる集積回路（ＩＣ）５００を図示する。このＩＣ５００では、（例えば）２つの回路５０２及び５０４があり、これらは、基板５０６上に形成され、それらの間に形成される通信チャネル１００を備える。通信チャネル１００は、差動ライン又は導体の任意の数のペアを含み得るが、簡潔にするため２つ（１０２及び１０４）が示されている。
【００２９】
エリア５０６をみると、ペア１０２及び１０４が図６Ａ〜図６Ｃに更に詳細に示されている。具体的には、ねじれ１１８−１がみられる。典型的に、導体の各々（即ち、１ａ）が金属の導電性ストリップ（これは、メタライゼーション層の一部である）で形成される。ここで、導体２ａ及び２ｂは、部分６０６−１及び６０６−２であり、メタライゼーション層６０６（これは例えばアルミニウム又は銅であり得る）によって形成され、メタライゼーション層６０６は、層６０４（これは更に幾つかの層を含み得る）の上に形成される。ねじれ１１８−１に対し、タングステンで形成され得るビア（即ち、６０８）が、メタライゼーション層６０６をメタライゼーション層６１０（これも銅又はアルミニウムで形成され得る）に結合する。メタライゼーション層６１０及びビア６０８を支持及び隔離するため、誘電性材料（即ち、二酸化シリコン）が、１つ又は複数の層において用いられ得る。
【００３０】
図７及び図８は、通信チャネル１００のための他の用途を図示する。例えば、図７において、印刷回路基板（ＰＣＢ）７０２上のＩＣ７０４及び７０６間（又は、ＩＣ７０４又は７０６の一方のピン間）の通信のために通信チャネル１００を用いることができる。代替として、通信チャネル１００を（図８の例において）デバイス８０２及び８０４間で通信するために用いることができる。
【００３１】
本発明に関連する技術に習熟した者であれば、本発明の特許請求の範囲内で、説明した例示の実施例に変形が成され得ること、及び他の実施例を実装し得ることが分かるであろう。
【図１Ａ】
2014517575.tif 000011
【図２Ａ】
2014517575.tif 000012
【図３Ａ】
2014517575.tif 000013
【図４Ａ】
2014517575.tif 000014
【図６Ａ】
2014517575.tif 000015
【図６Ｂ】
2014517575.tif 000016
【図６Ｃ】
2014517575.tif 000017
【図１Ｂ】
2014517575.tif 000018
【図２Ｂ】
2014517575.tif 000019
【図３Ｂ】
2014517575.tif 000020
【図４Ｂ】
2014517575.tif 000021
【図５】
2014517575.tif 000022
【図７】
2014517575.tif 000023
【図８】
2014517575.tif 000024
【国際調査報告】
2014517575.tif 000025
2014517575.tif 000026